(57)【要約】【課題】眼鏡の顔面下方へのずれによる視界偏向を持続して防止し、安定した視界が得られる安全装置を、極めてコスト安く提供することを基本としていて、高度な構造ではなく、簡易で極めて扱い易いキットを、格安に提供可能にする。【解決手段】眼鏡の左右吊り具の端末部へ極小さな穴を空けるための工具、その左右穴へ極細のワイヤーを通して、眼鏡使用者の後頭部へ半円弧状に載置可能な形状に整形可能なワイヤー、そのワイヤーにコロの機能を持たせたビーズ状の管体、それらの部材を台紙に配列して離脱可能に仮固定し構成してあるキットであること、を問題解決の手段となしている。【選択図】図１
2005062588.tif 000002
【特許請求の範囲】
【請求項１】
極細な穴を作る穴空け工具、軟質な極細金属製ワイヤー、前記ワイヤーへ通して回転自在なビーズ状の複数管体、を設けてそれらを台紙に配列し離脱可能に固定したことを特徴とした眼鏡滑り防止キット。
【請求項２】
請求項１の穴あけ工具の刃先は長さ15乃至16ミリメートル、太さ0.3ミリメートルのドリル刃を合成樹脂製の柄から5ミリメートル露出させて、その刃先長さを穴あけ位置決めの定規とした穴空け工具
【請求項３】
請求項１の軟質の金属製ワイヤーは、太さ0.25ミリメートル、長さ200ミリメートル乃至250ミリメートルの寸法を成して、真鍮、ステンレススチールなど腐食しにくい性質の軟質な極細金属製ワイヤー、
【請求項４】
請求項１のビーズ状の管体は、長さ6乃至8ミリメートル、太さ3ミリメートルの寸法を成して任意色彩を施した成樹脂製の管体、
【発明の詳細な説明】
【技術分野】
【０００１】
本発明は、眼鏡が顔面から下方へ滑り視界が偏向される状態を防止する装置を作るキットに関するものである。
【背景技術】
【０００２】
眼鏡は通常の使用状態では顔面からずり落ちることは少ないのであるが、体形に合わなかったりし、その眼鏡のフレームやレンズなどの重量が嵩むと、その重さに耐えられなくなって、重くなった眼鏡は使用中に頭や顔の皮膚の汗や脂質によって、または身体の上下振動などで、顔面下方へ益々ずれ落ち易くなる。
【０００３】
更に、眼鏡の宿命的な構造が故に、しばしば身体の大きな上下振動などによる眼鏡の落下防止に、その眼鏡の左右吊るの中ほどに鎖又は紐を連結して、首後部肩際へ長く垂れ下げて、落下防止をしている。
【０００４】
しかし、前記した眼鏡の落下防止の場合は、その鎖又は紐が余裕を持って首後部肩へ垂れ下げられて、その眼鏡が地面へ落下して破損をしない様に、それら鎖などはその落下破損の難を免れるための方策である。したがって使用中の眼鏡を顔面へ安定して密接させることが出来ないことが日常しばしばあって、使用時に身体の上下振動を受けるとその眼鏡を正常に保持できなくなってしまうことが起きる。その影響で正常な視野が偏向されて、前方の視界を精度良くとらえることが出来なくなってしまう。即ち、その眼鏡を使用している者にとって、不安全な状態に陥って、自動車，自動二輪など高速度で走行している際中に前記した視界偏向の現象を俄かに受けた場合は極めて危険である。
【０００５】
この不安全な状態を防止するの改善策として、眼鏡が安定して顔面に正常に保持されて、外部からの影響で身体の上下振動が急激に受けても、眼鏡が顔面からずれて視界偏向現象を起こさせないために、前記した落下防止の方法はその主たる目的は眼鏡が地面へ向けて落下しても接地する直前にそれら鎖又は紐で落下防止されてその眼鏡の破損は免れる、がしかし、その眼鏡が使用中の視界偏向を排除する機能は持続して安定して期待は出来ないことが宿命的構造であって、それが本発明の技術的背景にあった。
【特許文献１】無し
【非特許文献１】精密部品工作用の拡大鏡
【発明の開示】
【発明が解決しようとする課題】
【０００６】
解決しようとする問題点は、前記した、眼鏡の顔面下方へのずれによる視界偏向を持続して防止し、安定した視界が得られる安全装置を、極めてコスト安く提供することを目的としていて、高度な構造をなした安全装置は必要としない、構造が簡易で流通性が良く使い勝ってが良い安全装置を提供する、即ち、自動二輪、四輪自動車など運転中の振動などで、眼鏡が正常位置からずれて急激な視界偏向が発生した場合の対策を従前の落下防止の鎖や紐のぶら下げ方法に拠らないで、安全運転を損なう事の無い方策で、眼鏡を使用中は前記した振動などで視界偏向されること無く、常時安定してその眼鏡を使用者の後頭部で保持して安全を担保することが出来る簡易で安価な安全装置を誰でもが得られる眼鏡滑り防止キットを発明の課題としているものである。
【課題を解決するための手段】
【０００７】
だれでもが本願の組み立てキットを組み立て加工をする場合は、特別な装置や技術は全く必要としないものであって、
鏡の左右吊り具の端末部へ極小さな穴を空けるための道具、即ち木製または合成樹脂製の柄に長さ5乃至6ミリメートル、太さ0.3ミリメートルのドリル刃を長さ5ミリメートル露出させ且つその刃先5ミリメートルは穴あけの位置決めの寸法であり、前記穴空け工具として及び使用する下記ワイヤーの太さに適合するための穴あけ工具であって、
眼鏡使用者の後頭部へ半円弧状に載置可能な形状に必要な、長さ200ミリメートル乃至250ミリメートル、外径0.25ミリメートルの寸法をなして、且つ該半円弧状に眼鏡の左右吊るの端末部へ加工し易い軟質な極細の金属製ワイヤーであって、
前記ワイヤーへ回転自在に通す合成樹脂などで出来たビーズ状の小さな管体を複数個設けて、前記した半円弧状にして前記左右吊るへ組み立てて使用した後にその眼鏡を外す場合、該ビーズ様の管体がその眼鏡を脱ぎ易くするコロであって
それらを台紙に配列し仮固定または離脱可能にて設けてあるキットであること、
を構成して問題解決の手段となしている。
【発明の効果】
【０００８】
本願キットによる安全装置は、誰でもが安価に入手可能で有って、使用する眼鏡の左右吊り具端末部へ前記した穴あけ工具で穴を開けて、前記した極細で軟質で錆び難い金属製ワイヤーを用いている。該ワイヤーで使用者の後頭部へ半円弧状に整形してその両端を前記した左右吊り具の穴へ組み込んで、組み立てをして、その後頭部へは当該半円弧状になったワイヤーをその後頭部へ密接させて、該ワイヤーを容易に取り付けられる。
組み立て後使用した場合は、その眼鏡を安定して、正常な視界を維持可能になるので、特に、高速度で自動二輪、普通自動車など車両を運転中に外部からの振動衝撃の影響を受ける事無く、前記した視界偏向の恐れは無く、運転中は正常な視界を確保できて、交通安全に寄与する。また前記ワイヤーへ回転自在に通すビーズ状の小さな管体を複数個設けることで、その眼鏡を脱ぐ際にはコロの作用を成して、後頭部の髪の毛に対して柔軟に対応する機能を有している。などの効果が顕著である。
【発明を実施するための最良の形態】
【０００９】
前記した様に、本願を実施するに際して、
眼鏡の左右吊り具の端末部へ穴を空ける工具は、長さ25ミリメートル、太さ6ミリメートル位の木製または合成樹脂製の柄に長さ5乃至6ミリメートル、太さ0.3ミリメートルのドリル刃を5ミリメートル露出させて有して、そのドリル長さは眼鏡の左右吊り具の端末部の内側5ミリメートルの位置に穴あけるための位置決めの定規とした、穴あけ工具であること、
太さ0.25ミリメートル、長さ200ミリメートル乃至250ミリメートルの極細で錆び難い軟質の銅製ワイヤー、真鍮製ワイヤー、ステンレススチール製ワイヤー、アルミニューム製ワイヤー、などの金属で出来た複数本の該ワイヤーで有って、前記後頭部へ半円弧状に載置可能な長さで前記左右吊リ具の該穴へ内側から通して各々が外側へ折り曲げて半円弧状の安全装置として成し得るものであること、
該ワイヤーへ回転自在に通すビーズ状の合成樹脂は、長さ6乃至8ミリメートル、外径3ミリメートル位の寸法をなして任意色彩を有していること、
上記の事柄を満たして、適宜寸法の台紙へそれらを仮固定又は離脱可能に格納してキットにしていること、
などが最良な形態である。
【実施例１】
【００１０】
本発明の眼鏡滑り防止キットの一実施例を図面によって説明する、
図１は、眼鏡滑り防止キットの全体図を示す略図である、台紙イに  穴空け工具１、金属製ワイヤー２、２ｎ、前記ワイヤー２ｎへ回転自在に通したビーズ状の合成樹脂製の管体３、３ｎ、を設けて、のそれらを台紙イに配列し仮固定又は離脱可能に保持して、キットを構成している。
穴空け工具１は、長さ25ミリメートル、太さ6ミリメートル位の木製または合成樹脂製の柄に長さ5乃至6ミリメートル、太さ外径0.3ミリメートルのドリル刃１ａを露出してある。
金属製ワイヤー２、２ｎは極細で外径0.25ミリメートル、長さ200ミリメートル乃至250ミリメートルの寸法をなしていて、材質は銅、真鍮、ステンレススチール、アルミニュームなどの錆び難い軟質な金属製の極細のワイヤーで出来ている。
ビーズ状の合成樹脂製の管体２，２nは前記ワイヤー２ｎを通して回転自在にして、それら寸法は長さ6乃至8ミリメートル、太さは3ミリメートル位のであって、任意色彩をほどこしてある。
【実施例２】
【００１１】
図２は、眼鏡の左又は右吊り具４の端末部４ａの先端部から内側5ミリメートルの位置に0.3ミリメートルの穴４ｂをあけるための位置決めを穴空け工具１の刃先１ａを利用して行う略図である。
図３は、該吊り具４へワイヤー2又は２nを通す穴４ａを該ドリル刃先１aで位置決めをしてから、その穴あけ工具１を該穴位置に立てて回転させて、内径0.3ミリメートルの穴４ａを空ける場合の略図である。
図４は、該ワイヤー２、又は２ｎは半円弧状に使用者の後頭部５に沿って整形して前記した左右吊り具４の穴４ａへ通して外側へ折り曲げて後、該後頭部５へ載置された略図である。
【産業上の利用可能性】
【００１２】
自動車，自動二輪など高速度で走行している際中の振動や衝撃などで、使用している眼鏡がずれ下がって、俄かに視界偏向の現象を受けた場合の不安全な現象は交通安全上極めて危険な状態につながる。そこで、かかる現象が軽微な段階において、事前に、本願の眼鏡滑り防止キットを入手準備して、組み立て取り付けることで、それ以降において、安定して正常な視界を持続して安全確保ができるので、事故を防ぎ交通安全に寄与することができる、さらにかかる安全装置を簡易にしてコスト安に製造可能で且つ量産が見込めて、ユーザーに対して格安に提供し広く頒布することができる。
【図面の簡単な説明】
【００１３】
【図１】眼鏡滑り防止キット（実施例１）
【図２】使用例（実施例２）
【図３】使用例（実施例２）
【図４】使用例（実施例２）
【符号の説明】
【００１４】
１  穴空け工具
２  錆び難い軟質な金属製ワイヤー
３  ビーズ状の管体
４  左又は右の眼鏡の吊り具
５  使用者の後頭部
【図１】
2005062588.tif 000003
【図２】
2005062588.tif 000004
【図３】
2005062588.tif 000005
【図４】
2005062588.tif 000006
【手続補正書】
【提出日】平成15年8月19日(2003.8.19)
【手続補正１】
【補正対象書類名】特許請求の範囲
【補正対象項目名】全文
【補正方法】変更
【補正の内容】
【特許請求の範囲】
【請求項１】
極細な穴を作る穴空け工具、軟質な極細金属製ワイヤー、前記ワイヤーへ通して回転自在なビーズ状の複数管体、を設けてそれらを台紙に配列し離脱可能に固定したことを特徴とした眼鏡滑り防止キット。
【請求項２】
請求項１の穴あけ工具の刃先は長さ15乃至16ミリメートル、太さ0.3ミリメートルのドリル刃を合成樹脂製の柄から5ミリメートル露出させて、その刃先長さを穴あけ位置決めの定規とした穴空け工具。
【請求項３】
請求項１の軟質の金属製ワイヤーは、太さ0.25ミリメートル、長さ200ミリメートル乃至250ミリメートルの寸法を成して、真鍮、ステンレススチールなど腐食しにくい性質の軟質な極細金属製ワイヤー。
【請求項４】
請求項１のビーズ状の管体は、長さ6乃至8ミリメートル、太さ3ミリメートルの寸法を成して任意色彩を施した合成樹脂製の管体。
【手続補正２】
【補正対象書類名】明細書
【補正対象項目名】全文
【補正方法】変更
【補正の内容】
【発明の詳細な説明】
【技術分野】
【０００１】
本発明は、眼鏡が顔面から下方へ滑り視界が偏向される状態を防止する装置を作るキットに関するものである。
【背景技術】
【０００２】
眼鏡は通常の使用状態では顔面からずり落ちることは少ないのであるが、体形に合わなかったりし、その眼鏡のフレームやレンズなどの重量が嵩むと、その重さに耐えられなくなって、重くなった眼鏡は使用中に頭や顔の皮膚の汗や脂質によって、または身体の上下振動などで、顔面下方へ益々ずれ落ち易くなる。
【０００３】
更に、眼鏡の宿命的な構造が故に、しばしば身体の大きな上下振動などによる眼鏡の落下防止に、その眼鏡の左右吊るの中ほどに鎖又は紐を連結して、首後部肩際へ長く垂れ下げて、落下防止をしている。
【０００４】
しかし、前記した眼鏡の落下防止の場合は、その鎖又は紐が余裕を持って首後部肩へ垂れ下げられて、その眼鏡が地面へ落下して破損をしない様に、それら鎖などはその落下破損の難を免れるための方策である。したがって使用中の眼鏡を顔面へ安定して密接させることが出来ないことが日常しばしばあって、使用時に身体の上下振動を受けるとその眼鏡を正常に保持できなくなってしまうことが起きる。その影響で正常な視野が偏向されて、前方の視界を精度良くとらえることが出来なくなってしまう。即ち、その眼鏡を使用している者にとって、不安全な状態に陥って、自動車，自動二輪など高速度で走行している際中に前記した視界偏向の現象を俄かに受けた場合は極めて危険である。
【０００５】
この不安全な状態を防止するの改善策として、眼鏡が安定して顔面に正常に保持されて、外部からの影響で身体の上下振動が急激に受けても、眼鏡が顔面からずれて視界偏向現象を起こさせないために、前記した落下防止の方法はその主たる目的は眼鏡が地面へ向けて落下しても接地する直前にそれら鎖又は紐で落下防止されてその眼鏡の破損は免れる、がしかし、その眼鏡が使用中の視界偏向を排除する機能は持続して安定して期待は出来ないことが宿命的構造であって、それが本発明の技術的背景にあった。
【特許文献１】無し
【非特許文献１】精密部品工作用の拡大鏡
【発明の開示】
【発明が解決しようとする課題】
【０００６】
解決しようとする問題点は、前記した、眼鏡の顔面下方へのずれによる視界偏向を持続して防止し、安定した視界が得られる安全装置を、極めてコスト安く提供することを目的としていて、高度な構造をなした安全装置は必要としない、構造が簡易で流通性が良く使い勝ってが良い安全装置を提供する、即ち、自動二輪、四輪自動車など運転中の振動などで、眼鏡が正常位置からずれて急激な視界偏向が発生した場合の対策を従前の落下防止の鎖や紐のぶら下げ方法に拠らないで、安全運転を損なう事の無い方策で、眼鏡を使用中は前記した振動などで視界偏向されること無く、常時安定してその眼鏡を使用者の後頭部で保持して安全を担保することが出来る簡易で安価な安全装置を誰でもが得られる眼鏡滑り防止キットを発明の課題としているものである。
【課題を解決するための手段】
【０００７】
だれでもが本願の組み立てキットを組み立て加工をする場合は、特別な装置や技術は全く必要としないものであって、
眼鏡の左右吊り具の端末部へ極小さな穴を空けるための道具、即ち木製または合成樹脂製の柄に長さ１5乃至１6ミリメートル、太さ0.3ミリメートルのドリル刃を長さ5ミリメートル露出させ且つその刃先5ミリメートルは穴あけの位置決めの寸法であり、前記穴空け工具として及び使用する下記ワイヤーの太さに適合するための穴あけ工具であって、
眼鏡使用者の後頭部へ半円弧状に載置可能な形状に必要な、長さ200ミリメートル乃至250ミリメートル、外径0.25ミリメートルの寸法をなして、且つ該半円弧状に眼鏡の左右吊るの端末部へ加工し易い軟質な極細の金属製ワイヤーであって、
前記ワイヤーへ回転自在に通す合成樹脂などで出来たビーズ状の小さな管体を複数個設けて、前記した半円弧状にして前記左右吊るへ組み立てて使用した後にその眼鏡を外す場合、該ビーズ様の管体がその眼鏡を脱ぎ易くするコロであって
それらを台紙に配列し仮固定または離脱可能にして設けてあるキットであること、
を構成して問題解決の手段となしている。
【発明の効果】
【０００８】
本願キットによる安全装置は、誰でもが安価に入手可能で有って、使用する眼鏡の左右吊り具端末部へ前記した穴あけ工具で穴を開けて、前記した極細で軟質で錆び難い金属製ワイヤーを用いている。該ワイヤーで使用者の後頭部へ半円弧状に整形してその両端を前記した左右吊り具の穴へ通し組み込んで、組み立てをして、その後頭部へは当該半円弧状になったワイヤーをその後頭部へ密接させるようにし載置して、該ワイヤーを容易に取り付けられる。
組み立て後使用した場合は、その眼鏡を安定して、正常な視界を維持可能になるので、特に、高速度で自動二輪、普通自動車など車両を運転中に外部からの振動衝撃の影響を受ける事無く、前記した視界偏向の恐れは無く、運転中は正常な視界を確保できて、交通安全に寄与する。また前記ワイヤーへ回転自在に通すビーズ状の小さな管体を複数個設けることで、その眼鏡を脱ぐ際にはコロの作用を成して、後頭部の髪の毛に対して柔軟に対応する機能を有している。などの効果が顕著である。
【発明を実施するための最良の形態】
【０００９】
前記した様に、本願を実施するに際して、
眼鏡の左右吊り具の端末部へ穴を空ける工具は、長さ25ミリメートル、太さ6ミリメートル位の木製または合成樹脂製の柄に長さ１5乃至１6ミリメートル、太さ0.3ミリメートルのドリル刃を5ミリメートル露出させて有して、その露出中のドリル長さは眼鏡の左右吊り具の端末部の内側5ミリメートルの位置に穴あけるための位置決めの定規とした、穴あけ工具であること、
太さ0.25ミリメートル、長さ200ミリメートル乃至250ミリメートルの極細で錆び難い軟質の銅製ワイヤー、真鍮製ワイヤー、ステンレススチール製ワイヤー、（アルミニューム製ワイヤー）などの金属で出来た複数本の該ワイヤーで有って、前記後頭部へ半円弧状に載置可能な長さで前記左右吊リ具の該穴へ内側から通して各々が外側へ折り曲げて半円弧状の安全装置として成し得るものであること、
該ワイヤーへ回転自在に通すビーズ状の合成樹脂製管体は、長さ6乃至8ミリメートル、外径3ミリメートル位の寸法をなして任意色彩を有していること、
上記の事柄を満たして、適宜寸法の台紙へそれらを仮固定又は離脱可能に格納してキットにしていること、
などが最良な形態である。
【実施例１】
【００１０】
本発明の眼鏡滑り防止キットの一実施例を図面によって説明する、
図１は、眼鏡滑り防止キットの全体図を示す略図である、台紙イに  穴空け工具１、金属製ワイヤー２、２ｎ、前記ワイヤー２ｎへ回転自在に通したビーズ状の合成樹脂製の管体３、３ｎ、を設けて、のそれらを台紙イに配列し仮固定又は離脱可能に保持して、キットを構成している。
穴空け工具１は、長さ25ミリメートル、太さ6ミリメートル位の木製または合成樹脂製の柄に長さ１5乃至１6ミリメートル、太さ外径0.3ミリメートルのドリル刃１ａを５ミリメートル露出してある。
金属製ワイヤー２、２ｎは極細で外径0.25ミリメートル、長さ200ミリメートル乃至250ミリメートルの寸法をなしていて、材質は銅、真鍮、ステンレススチール、（アルミニューム製ワイヤー）などの錆び難い軟質な金属製の極細のワイヤーで出来ている。
ビーズ状の合成樹脂製の管体２，２nは前記ワイヤー２ｎを通して回転自在にして、それら寸法は長さ6乃至8ミリメートル、太さは3ミリメートル位のであって、任意色彩をほどこしてある。
【実施例２】
【００１１】
図２は、眼鏡の左又は右吊り具４の端末部４ａの先端部から内側5ミリメートルの位置に0.3ミリメートルの穴４ｂをあけるための位置決めを穴空け工具１の刃先１ａを利用して行う略図である。
図３は、該吊り具４へワイヤー2又は２nを通す穴４ａを該ドリル刃先１aで位置決めをしてから、その穴あけ工具１を該穴位置に立てて回転させて、内径0.3ミリメートルの穴４ａを空ける場合の略図である。
図４は、該ワイヤー２、又は２ｎは半円弧状に使用者の後頭部５に沿って整形して前記した左右吊り具４の穴４ａへ内側から通して外側へ折り曲げて後、該後頭部５へ載置された略図である。
【産業上の利用可能性】
【００１２】
自動車，自動二輪など高速度で走行している際中の振動や衝撃などで、使用している眼鏡がずれ下がって、俄かに視界偏向の現象を受けた場合の不安全な現象は交通安全上極めて危険な状態につながる。そこで、かかる現象が軽微な段階において、事前に、本願の眼鏡滑り防止キットを入手準備して、組み立て取り付けることで、それ以降において、安定して正常な視界を持続して安全確保ができるので、事故を防ぎ交通安全に寄与することができる、さらにかかる安全装置を簡易にしてコスト安に製造可能で且つ量産が見込めて、ユーザーに対して格安に提供し広く頒布することができる。
【図面の簡単な説明】
【００１３】
【図１】眼鏡滑り防止キット（実施例１）
【図２】使用例（実施例２）
【図３】使用例（実施例２）
【図４】使用例（実施例２）
【符号の説明】
【００１４】
１  穴空け工具
２  錆び難い軟質な金属製ワイヤー
３  ビーズ状の管体
４  左又は右の眼鏡の吊り具
５  使用者の後頭部